(57)【要約】  本発明は、仮想現実映像の特定時点または区間に一つ以上挿入される仮想現実体感情報が含まれた仮想現実編集映像を生成する仮想現実映像提供サーバー、仮想現実映像提供サーバーから仮想現実編集映像を受信して再生するモバイル端末及びモバイル端末から仮想現実体感情報を受信して仮想現実体験機器に伝達するＶＲ中継器を含む仮想現実体験機器を利用した仮想現実映像提供システムを提供する。
2020530675.tif 000002
【特許請求の範囲】
【請求項１】
編集プログラムを通じて仮想現実映像の特定時点または区間に一つ以上挿入される仮想現実体感情報が含まれた仮想現実編集映像を生成する仮想現実映像提供サーバーと、
前記仮想現実映像提供サーバーから受信された仮想現実編集映像を再生するためのアプリケーションを実行するモバイル端末及び前記仮想現実体感情報をモバイル端末から受信して少なくとも一つの仮想現実体験機器に伝達するＶＲ中継器とを含み、
前記仮想現実映像に挿入された体感情報を仮想現実体験機器に提供することを特徴とする仮想現実体験機器を利用した仮想現実映像提供システム。
【請求項２】
前記仮想現実映像提供サーバーは、編集プログラムを具備し、仮想現実体感情報を字幕フォーマットに挿入して字幕ファイル形態で仮想現実体感情報を製作することを特徴とする請求項１に記載の仮想現実映像提供システム。
【請求項３】
前記仮想現実映像提供サーバーは、仮想現実編集映像を生成して映像ＤＢにアップロードし、リアルタイムストリーミングまたはダウンロード方式を通じて映像ＤＢに保存された仮想現実編集映像をモバイル端末に提供することを特徴とする請求項１に記載の仮想現実映像提供システム。
【請求項４】
前記ＶＲ中継器は、モバイル端末と１対１で連結されて仮想現実体感情報をモバイル端末から受信し、仮想現実体験機器と１対Ｎで連結されて仮想現実体感情報を仮想現実体験機器に伝達することを特徴とする請求項１に記載の仮想現実映像提供システム。
【請求項５】
前記ＶＲ中継器は、仮想現実編集映像の再生制御のための再生制御信号の入力を受ける入力手段を具備し、再生制御信号をモバイル端末に送ってアプリケーションを通じて再生される仮想現実編集映像を遠隔制御することを特徴とする請求項１に記載の仮想現実映像提供システム。
【請求項６】
前記仮想現実体感情報は、特定時点または区間を定義するタイミング情報、仮想現実体験機器の種類を定義する機器インデックス及び仮想現実体験機器の動作を定義する動作値を含むことを特徴とする請求項１に記載の仮想現実映像提供システム。
【発明の詳細な説明】
【技術分野】
【０００１】
本発明は、仮想現実映像提供システムに関するものであり、より詳細には、仮想現実映像に挿入された仮想現実体感情報を仮想現実体験機器に提供を受けることができる仮想現実体験機器を利用した仮想現実映像提供システムに関するものである。
【背景技術】
【０００２】
従来には仮想現実(ＶＲ:virtual reality)映像を製作するための製作機器及び仮想現実映像を体験するためのＶＲ機器が提供されていた。例えば、従来には韓国公開特許第１０-２０１８-００１０８９１号公報に記載されたように特定現場を３６０度でいきいきと体験できるようにするＶＲ機器が提供されていた。
【０００３】
しかし、従来のＶＲ機器はヘッドマウントディスプレイ(ＨＭＤ:Head Mounted Display)として購入費用が安いが、立体感ある仮想現実映像を使用者が目だけで視聴するだけであるので、映像の特定場面で五感を利用した実質的な体感を感じ難い。
【０００４】
また、従来には仮想現実映像を視聴し、特定場面の体感を感じるようにする所が大型劇場の一部だけに限られている実情がある。
【発明の概要】
【発明が解決しようとする課題】
【０００５】
本発明は、前記のような問題点を解決するために、モバイル端末が仮想現実映像提供サーバーから仮想現実編集映像を受信して再生し、ＶＲ中継器がモバイル端末から仮想現実体感情報を受信して仮想現実体験機器に伝達する仮想現実体験機器を利用した仮想現実映像提供システムを提供する。
【課題を解決するための手段】
【０００６】
前記課題を達成するための本発明による仮想現実体験機器を利用した仮想現実映像提供システムは、編集プログラムを通じて仮想現実映像の特定時点または区間に一つ以上挿入される仮想現実体感情報が含まれた仮想現実編集映像を生成する仮想現実映像提供サーバーと、前記仮想現実映像提供サーバーから受信された仮想現実編集映像を再生するためのアプリケーションを実行するモバイル端末及び前記仮想現実体感情報をモバイル端末から受信して少なくとも一つの仮想現実体験機器に伝達するＶＲ中継器を含んで、前記仮想現実映像に挿入された体感情報を仮想現実体験機器に提供することを特徴とする。
【０００７】
前記仮想現実映像提供サーバーは編集プログラムを具備し、仮想現実体感情報を字幕フォーマットに挿入して字幕ファイル形態で仮想現実体感情報を製作することを特徴とすることができる。
【０００８】
前記仮想現実映像提供サーバーは仮想現実編集映像を生成して映像ＤＢにアップロードし、リアルタイムストリーミングまたはダウンロード方式を通じて映像ＤＢに保存された仮想現実編集映像をモバイル端末に提供することを特徴とすることができる。
【０００９】
前記ＶＲ中継器はモバイル端末と１対１で連結されて仮想現実体感情報をモバイル端末から受信し、仮想現実体験機器と１対Ｎで連結されて仮想現実体感情報を仮想現実体験機器に伝達することを特徴とすることができる。
【００１０】
前記ＶＲ中継器は仮想現実編集映像の再生制御のための再生制御信号の入力を受ける入力手段を具備し、再生制御信号をモバイル端末に送ってアプリケーションを通じて再生される仮想現実編集映像を遠隔制御することを特徴とすることができる。
【００１１】
前記仮想現実体感情報は特定時点または区間を定義するタイミング情報、仮想現実体験機器の種類を定義する機器インデックス及び仮想現実体験機器の動作を定義する動作値を含むことを特徴とすることができる。
【発明の効果】
【００１２】
本発明は、モバイル端末が仮想現実映像提供サーバーから仮想現実編集映像を受信して再生し、ＶＲ中継器がモバイル端末から仮想現実体感情報を受信して仮想現実体験機器に伝達することで、家庭用ＶＲ  ＶＯＤサービスを提供することができる。
【図面の簡単な説明】
【００１３】
【図１】図１は本発明の仮想現実映像提供システムのブロック図である。
【図２】図２は図１の仮想現実映像提供サーバーの詳細構成を示すブロック図である。
【図３】図３は図１のＶＲ中継器の詳細構成を示すブロック図である。
【図４】図４は図１の仮想現実映像提供サーバーで生成される仮想現実編集映像の例を示す図面である。
【図５】図５は図１の仮想現実編集映像に含まれた仮想現実体感情報のデータ構造を説明するための図面である。
【発明を実施するための形態】
【００１４】
以下、添付図面ら及び添付図面らに記載された内容を参照して本発明の実施例を詳細に説明するが、本発明が実施例によって制限されるか、または限定されるものではない。
【００１５】
図１は、本発明の仮想現実映像提供システムのブロック図であり、図４は図１の仮想現実映像提供サーバーで生成される仮想現実編集映像の例を示す図面であり、図５は図１の仮想現実編集映像に含まれた仮想現実体感情報のデータ構造を説明するための図面である。
【００１６】
本発明の仮想現実映像提供システムは１人世帯の増加によって個人化された余暇コンテンツのための仮想現実映像を提供するためのものであり、仮想現実映像提供サーバー１００、移動通信網２００、モバイル端末３００、ＶＲ中継器５００及び仮想現実体験機器６００を含む。
【００１７】
仮想現実映像提供サーバー１００は、複数の仮想現実映像で映像視聴者に仮想現実体験のために映像の特定時点または区間に一つ以上挿入される仮想現実体感情報が含まれた仮想現実編集映像を生成して移動通信網２００で連結されたモバイル端末３００に送る。仮想現実編集映像はヘッドマウントディスプレイ４００に装着されたモバイル端末３００で見られる仮想現実映像で映像視聴者に仮想現実体験のために映像の特定時点または区間に一つ以上挿入される仮想現実体感情報が含まれた映像を意味する。また、仮想現実編集映像の伝送方式はリアルタイムストリーミング(streaming)方式やダウンロード方式になることができる。例えば、仮想現実映像提供サーバー１００はＨＬＳ(Http Live Streaming)方式でストリーミングＵＲＬをモバイル端末３００に提供する。
【００１８】
移動通信網２００は仮想現実映像提供サーバー１００とモバイル端末３００を通信するためのモバイルネットワークであり、仮想現実映像提供サーバー１００はインターネット網(図示せず)と網ゲートウェイ(図示せず)を通じて移動通信網２００に連結されることもできる。
【００１９】
モバイル端末３００は仮想現実映像提供サーバー１００から受信した仮想現実編集映像を再生するためのアプリケーションを実行して仮想現実体感情報に対応して仮想現実体験が可能な一つ以上の仮想現実体験機器６００と無線で連結されて仮想現実体感情報を送る。モバイル端末３００は、例えば、ヘッドマウントディスプレイ４００に挿入または装着が可能なスマートフォン、ファブレット(phablet)フォンなどを採用することができる。
【００２０】
モバイル端末３００に設置されるアプリケーションは、仮想現実映像提供サーバー１００と連結されて提供されるダウンロードウェブページを通じて最初設置がなされることができるし、会員加入及びログインを通じて所望の仮想現実編集映像をストリーミングで再生するか、またはダウンロードを受けて再生することができる。
【００２１】
本発明は、モバイル端末３００のアプリケーションを通じて使用者に選択的に仮想現実映像と編集映像を提供することができるし、仮想現実体験機器６００の存在如何、またはこれにかかわらず選択的に仮想現実映像と編集映像を提供することができるし、選択映像を提供して使用者のニーズを満足させることができる。
【００２２】
ヘッドマウントディスプレイ４００はモバイル端末３００が挿入または装着されて仮想現実編集映像をディスプレイする。すなわち、ここでヘッドマウントディスプレイ４００はモバイル端末３００であるスマートフォンが装着されるスマートフォン専用ＶＲ機器で、例えばグーグルカードボード(Cardboard)、iOSカードボード、三星ギアＶＲ、ＶＲ ＢＯＸなどを採用することができる。
【００２３】
ＶＲ中継器５００はモバイル端末３００と１対１で連結されて仮想現実体感情報をモバイル端末３００から受信し、仮想現実体験機器６００と１対Ｎで連結されて仮想現実体感情報を仮想現実体験機器６００に伝達する。より詳細には、ＶＲ中継器５００はモバイル端末３００と仮想現実体験機器６００を無線連結し、無線連結されたモバイル端末３００で仮想現実編集映像再生時に該当仮想現実編集映像に含まれた仮想現実体感情報の伝送を受けて仮想現実体験機器６００に送る。ＶＲ中継器５００はＲＦ(Radio Frequency)、ブルートゥース(Bluetooth：登録商標)、ジグビー(Zigbee：登録商標)、ＮＦＣ(Near Field Communication)のような公知の無線通信方法を利用することができるし、例えば、モバイル端末３００とブルートゥース連結され、複数の仮想現実体験機器６００と互換性及び汎用性を考慮してＲＦ通信で連結されることができる。例えば、ＲＦ通信はローラ(LoRa: Long Range)通信である。ＶＲ中継器５００はブルートゥース信号とＲＦ信号で相互変換するための信号変換モジュール(図示せず)をさらに含むことができる。
【００２４】
本発明は、モバイル端末３００を通じて家で多様なＶＲ ＶＯＤを視聴するためモバイル端末３００が仮想現実映像提供サーバー１００から仮想現実体感情報を含む映像の提供を受けなければならないし、ブルートゥース通信が１:Ｎの通信を支援することができないためＶＲ中継器５００がモバイル端末３００から仮想現実体感情報を受信して複数の仮想現実体験機器６００に伝達するものである。
【００２５】
本発明は、仮想現実体験機器６００と離れた遠隔で映像を編集すれば仮想現実映像再生と仮想現実体験機器の動作間に不自然な演出が発生することがあるので、仮想現実体験機器６００が設置された使用者体験環境で編集映像の示範シミュレーションと映像再編を提供する。より詳細には、本発明は仮想現実映像提供サーバー１００の編集映像生成部１１０が映像コンテンツ提供者編集環境での映像編集を提供することができるし、ＶＲ中継器５００のプログラム連動部５２０が使用者体験環境での映像編集を提供することができる。
【００２６】
ＶＲ中継器５００は仮想現実映像提供サーバー１００及び仮想現実体験機器と連結され、仮想現実映像コンテンツ提供者(Contents Provider)が編集プログラムを通じて生成された仮想現実編集映像を再生し、仮想現実体験機器を通じてあらかじめ体験する示範シミュレーションが可能に連結することができる。すなわち、ＶＲ中継器５００は仮想現実映像提供サーバー１００の編集プログラムを通じて仮想現実体感情報の伝送を受けて仮想現実体験機器に送って仮想現実体験機器を通じた示範シミュレーションがなされることができる。
【００２７】
ＶＲ中継器５００はモバイル端末３００を通じて再生中である仮想現実編集映像の遠隔制御が可能になるように使用者の入力を受けることができる入力手段を含んで、入力手段は仮想現実編集映像の再生制御のための再生制御信号の入力を受ける。入力手段は入力コントローラ５３０及びセンサー部５４０を含むことができる。ＶＲ中継器５００の詳細構成に対しては後述することにする。
【００２８】
仮想現実体験機器６００は複数で具備されてそれぞれがＶＲ中継器５００から仮想現実体感情報を、無線で伝送を受けて仮想現実体感情報に対応する仮想現実体験サービスを提供し、仮想現実体感情報を受信することができるレシーバー(receiver、図示せず)及び機器オン／オフや設定などを操作するために使用者の入力を受ける入力手段(図示せず)を含むことができる。それぞれの仮想現実体験機器６００は仮想現実体験サービスを提供するために映像視聴者によって直接着用されるか、または現場に設置されることができるし、例えばバイブレーター(vibrator)、４Ｄ体験椅子、ウィンドブロワー(wind blower)、フォグ(fog)発生器、香り噴射器、空気噴射器、バブル(bubble)発生器、スノー(snow)発生器など仮想現実を体験することができる機器を利用することができるし、本発明がこれに限定されるものではない。
【００２９】
ここで仮想現実体感情報は、仮想現実編集映像がモバイル端末３００で再生時に再生される映像の特定場面に対応される視覚を除いた触覚、嗅覚などの感覚による体感効果として仮想現実体験機器６００の種類によってモーション(motion)制御動作や振動、ウォーター、フォグ、香り、バブルまたはスノーなどを現場に発生させることができるようにする情報を意味する。
【００３０】
仮想現実体感情報は図４に示されたように仮想現実映像に再生される多くの特定時点または区間に挿入されて仮想現実編集映像に含まれることができる。
【００３１】
仮想現実体感情報は図５を参照すれば、仮想現実編集映像で特定時点または特定区間を定義するタイミング情報、仮想現実体験機器６００の種類を定義する機器インデックス、仮想現実体験機器６００の動作を定義する動作値を含む。
【００３２】
例えて具体的に説明すれば、手首にバイブレーターを着用した場合ヘッドマウントディスプレイ４００に装着されたモバイル端末３００で仮想現実編集映像再生時にバイブレーターで仮想現実編集映像に含まれた仮想現実体感情報をＶＲ中継器５００を通じて受信する。バイブレーターは仮想現実体感情報に含まれた機器インデックスでバイブレーターに該当するコードを認識し、仮想現実体感情報に含まれたタイミング情報に対応する特定再生時点または特定再生区間に設定された動作値がオン(Ｏｎ)状態を定義したら、着用者の手首に振動を発生させる。
【００３３】
また、仮想現実体感情報には仮想現実体験機器６００の特性によって機器動作定義値をさらに含むこともできる。例えば、バイブレーターの場合、振動強さや振動回数を機器動作定義値で区分して設定されることができる。また、４Ｄ体験椅子の場合、上下/前後/左右モーション制御、ウィンドブロワー及び振動機能がすべて搭載されることができるし、機器動作定義値で各機能別に区分して設定されることができる。また、仮想現実体感情報は仮想現実編集映像で再生される特定時点または特定区間ごとに複数に挿入されることができるので、機器インデックス、動作値及び機器動作定義値が必要によって複数で生成されることができる。
【００３４】
仮想現実提供サーバー１００は、仮想現実体感情報を仮想現実体験機器６００に伝送される伝送時間と体感情報を通じて仮想現実体験機器６００が動作する動作発生時間を考慮してタイミング情報を生成することができる。伝送時間はブルートゥース信号をＲＦ信号に変換する時間を含むことができる。例えば、映像の特定時点が１分３０秒である時、体感情報の動作発生時点は伝送時間の遅延を考慮した１分２９．５秒であることがある。
【００３５】
本発明は、伝送時間と動作発生時間を考慮したタイミング情報を生成することで、特定時点の映像と等しいタイミングに体感を発生させることができるし、使用者の映像沒入感をより向上させることができる。
【００３６】
図２は、図１の仮想現実映像提供サーバーの詳細構成を示すブロック図である。
【００３７】
仮想現実映像提供サーバー１００は、図２に示されたように編集映像生成部１１０、通信部１２０、アップ(App)連動部１３０、ウェブページ提供部１４０、ログイン認証部１５０、決済処理部１６０、映像ＤＢ１７１、仮想現実体感情報ＤＢ１７２、個人情報ＤＢ１７３及び決済情報ＤＢ１７４をさらに含む。
【００３８】
従来には映画を再生する時に字幕(caption)別に開始時間と終了時間が設定されたsrtのような字幕ファイルを共に使用する。本発明は従来のsrt字幕のように字幕別に開始時間と終了時間が設定されたように字幕ファイル形態で仮想現実体感情報のタイミング情報も共に設定して製作することができる。より詳細には、本発明は仮想現実体感情報を字幕フォーマットで挿入して映像に合わせて同期化された体感情報を製作することができるし、複雑度と製作費用の減少を期待することができる。
【００３９】
編集映像生成部１１０は、仮想現実体感情報を字幕フォーマットに挿入して字幕ファイル形態で仮想現実体感情報を製作することができる。編集映像生成部１１０は、３６０度仮想現実が反映された映像である仮想現実映像で映像視聴者が仮想現実体験をするために映像の特定時点、または特定区間に一つ以上挿入される仮想現実体感情報が含まれた仮想現実編集映像を生成し、生成された映像を映像ＤＢ１７１にアップロードすることができる。また、編集映像生成部１１０は仮想現実映像に仮想現実体感情報を挿入するための映像編集プログラムを提供することができる。すなわち、仮想現実映像コンテンツ提供者が映像編集プログラムを通じて仮想現実映像らの特定時点または特定区間に仮想現実体感情報を挿入することで、特定場面で所望の仮想現実体験効果を付与できるようにする。映像編集プログラムは、例えば、アドーブプレミアプロ(Adobe Premiere Pro)などを利用することができる。また、仮想現実編集映像の生成時に含まれる仮想現実体感情報は字幕ファイル形態で製作されたファイルに含まれることができるし、字幕ファイルは、例えば、拡張子名を*．ＨＳＩまたは*．ＳＲＴとすることができるし、仮想現実編集映像がモバイル端末３００で再生時に同時に再生されることができる。
【００４０】
通信部１２０はモバイル端末３００に設置されたアプリケーションと接続され、仮想現実編集映像を含んだ必要なデータをモバイル端末３００に送るための無線通信プロトコルを提供する。
【００４１】
アップ連動部１３０はモバイル端末３００に設置されたアプリケーションと連動してモバイル端末３００の会員加入手続き及びログイン認証を遂行し、モバイル端末３００で要請された仮想現実編集映像が有料である場合決済ページを提供し、決済ページを通じた決済要請時に決済プロセスを遂行して決済された仮想現実編集映像を通信部１２０を通じてモバイル端末３００に送るように制御する。
【００４２】
ウェブページ提供部１４０はモバイル端末３００にアップ連動部１３０を通じてアプリケーションをモバイル端末３００でダウンロードすることができるダウンロードウェブページ、複数の仮想現実編集映像らが載せられた映像リストウェブページ、会員加入ウェブページ、有料である仮想現実編集映像に対する決済プロセスを遂行するための決済ウェブページを含んで仮想現実編集映像提供のために必要な複数のウェブページらを提供する。
【００４３】
ログイン認証部１５０はアップ連動部１３０を通じて接続されたモバイル端末３００に会員加入要請時に会員加入のための個人情報の入力を受けて会員加入処理し、ログイン要請時に個人情報を土台でログイン認証を遂行する。個人情報にはアイディー、パスワード、加入者名前、住民登録番号、携帯電話番号、自宅住所が含まれることができる。
【００４４】
決済処理部１６０はアップ連動部１３０を通じてモバイル端末３００から有料である仮想現実編集映像を要請する場合に決済要請情報の伝送を受けて該当映像に対して決済処理を遂行する。
【００４５】
仮想現実映像提供サーバー１００は、仮想現実編集映像を生成して映像ＤＢ１７１にアップロードし、リアルタイムストリーミングまたはダウンロード方式を通じて映像ＤＢ１７１に保存された仮想現実編集映像をモバイル端末３００に提供することができる。映像ＤＢ１７１は仮想現実映像と共に編集映像生成部１１０を通じて生成された仮想現実編集映像らが保存される。
【００４６】
仮想現実体感情報ＤＢ１７２は編集プログラムを通じて生成された仮想現実体感情報を仮想現実映像コンテンツ提供者の要請によって保存する。すなわち仮想現実体感情報ＤＢ１７２は保存された仮想現実体感情報を追後仮想現実編集映像製作時に使用するためにデータベース化して管理することができる。
【００４７】
個人情報ＤＢ１７３は会員加入された個人情報が保存され、決済情報ＤＢ１７４は決済プロセスによって生成された決済情報が保存される。
【００４８】
図３は、図１のＶＲ中継器の詳細構成を示すブロック図である。
【００４９】
ＶＲ中継器５００は図３に示されたように、制御部５１０、プログラム連動部５２０、入力コントローラ５３０、センサー部５４０、通信モジュール５５０、メモリー５６０及び入出力インターフェース５７０をさらに含む。
【００５０】
制御部５１０はモバイル端末３００から伝送された仮想現実体感情報、プログラム連動部５２０と連携して仮想現実映像提供サーバー１００に含まれた編集プログラムを通じて伝送された仮想現実体感情報を無線連結された仮想現実体験機器に送るように制御し、入力コントローラ５３０及びセンサー部５４０の再生制御信号を無線連結されたモバイル端末３００に送って遠隔制御を遂行することができる。
【００５１】
プログラム連動部５２０は仮想現実映像コンテンツ提供者が使用する編集プログラムと連結されて編集プログラムと仮想現実体験機器を通信モジュール５５０によって連結して仮想現実体験機器の体験が可能になるようにＡＰＩ(Application Programming Interface)のようなプログラムインターフェースを提供する。また、プログラム連動部５２０は編集プログラムと連動されて使用者体験環境での映像編集と編集映像の示範シミュレーションのためのプログラムインターフェースを提供する。
【００５２】
プログラム連動部５２０は映像コンテンツ提供者が編集プログラムを通じて使用者と同じ環境で編集しながら仮想現実編集映像に含まれた仮想現実体感情報が意図したとおりに具現されるか、または仮想現実体験機器６００を通じて示範シミュレーションをして見られる。また、プログラム連動部５２０はモバイル端末３００に設置されるアプリケーションとも連動してアプリケーションで再生される仮想現実編集映像を制御部５１０を通じて遠隔制御できるようにプログラムインターフェースを提供する。
【００５３】
入力コントローラ５３０は使用者のモバイル端末３００から再生中の仮想現実編集映像の再生/一時停止/止まり/早送り/巻き戻しなどの再生制御信号の入力を受けて遠隔制御が可能になるように制御部５１０に提供する。
【００５４】
入力コントローラ５３０を通じて使用者は、モバイル端末３００またはヘッドマウントディスプレイ４００の入力部(図示せず)を使わなくても再生中の仮想現実編集映像を手軽く制御することができて使用者便宜性を増大させることができる。
【００５５】
センサー部５４０は入力コントローラ５３０の直接ボタンの入力による映像遠隔制御だけではなく、使用者の動作を通じた再生遠隔制御が可能になるように使用者の動作信号の入力を受けて遠隔制御可能になるように制御部５１０に再生制御信号に変換して提供する。センサー部５４０は使用者の動作信号の入力を受けるために動作感知センサー、ジャイロセンサーまたは加速度センサーを含むことができる。
【００５６】
通信モジュール５５０は両方向通信が可能な無線通信プロトコルを提供し、仮想現実編集映像に含まれた仮想現実体感情報を仮想現実体験機器に送るか、または入力コントローラ５３０またはセンサー部５４０の再生制御信号を制御部５１０の要請によってモバイル端末３００のアプリケーションに送ることができる。
【００５７】
メモリー５６０は制御部５１０の要請によって仮想現実体感情報を保存することができるし、仮想現実体感情報のようなデータ伝送制御のための命令プロトコル及び再生制御信号を含んだ遠隔制御のための命令プロトコルなどを保存することができる。
【００５８】
入出力インターフェース５７０は互換可能な外部機器(図示せず)の有線連結のためのインターフェースを提供することができるし、例えば、有無線互換が可能な仮想現実体験機器の有線連結、編集プログラムが設置された仮想現実映像提供サーバー１００または仮想現実映像コンテンツ提供者のコンピューター(図示せず)の有線連結のためのＵＳＢインターフェースなどを提供することができる。
【００５９】
本発明は、映像コンテンツ提供者の編集環境を提供することができるし、映像コンテンツ提供者に仮想現実映像を体感情報が含まれた仮想現実編集映像で製作することができる。より詳細には、本発明は使用者に仮想現実映像を提供するサービス以前過程であり、仮想現実映像提供サーバー１００の編集映像生成部１１０を通じてコンテンツ提供者編集環境で映像編集を１次的に提供し、ＶＲ中継器５００のプログラム連動部５２０を通じて使用者体験環境で映像編集を２次的に提供することができる。また、本願発明は１次的編集と２次的検証を通じた編集がなされて仮想現実映像再生と仮想現実体験機器の動作間に不自然な演出を防止することができる。
【００６０】
本発明は、編集映像生成部１１０の編集プログラムを通じて映像コンテンツ提供者に編集環境を提供することができるし、映像コンテンツ提供者が一般的な仮想現実映像を体感情報が含まれた仮想現実編集映像で製作することができる。
【００６１】
また、本発明は体感情報が含まれた仮想現実編集映像を基盤で個人用仮想現実注文型ビデオストリーミングサービスを提供することができるし、仮想現実注文型ビデオストリーミングサービスを提供して仮想体験設備が具備された大型劇場へ行かなくても家の中または１人世帯でも低費用でＶＲ  ＶＯＤを視聴することができる。
【産業上の利用可能性】
【００６２】
以上説明したように、本発明は、家庭用ＶＲ  ＶＯＤサービスに活用することができる。
【図１】
2020530675.tif 000003
【図２】
2020530675.tif 000004
【図３】
2020530675.tif 000005
【図４】
2020530675.tif 000006
【図５】
2020530675.tif 000007
【国際調査報告】
2020530675.tif 000008
2020530675.tif 000009
2020530675.tif 000010
2020530675.tif 000011